(57)【要約】  他の装置から信号を受信する受信区間と前記他の装置から信号を受信しない非受信区間とが交互に設定される無線通信装置であって、前記他の装置への無線通信で利用する前記無線通信装置が専有する無線制御リソースを保持する送信部と、第１情報及び第２情報のうち少なくとも１つを有するデータを含む信号を受信する受信部と、前記受信部が受信した前記データが第１情報を含む場合、前記受信区間を第１所定時間を経過する時まで延長する受信延長制御部と、を含み、前記受信延長制御部が受信区間を第１所定時間を経過する時まで延長した後に前記受信部が受信した前記データが第１情報を含まない場合、前記受信延長制御部は受信区間の延長を停止する無線通信装置とする。
2012081093.tif 000002
【特許請求の範囲】
【請求項１】
他の装置から信号を受信する受信区間と前記他の装置から信号を受信しない非受信区間とが交互に設定される無線通信装置であって、
前記他の装置への無線通信で利用する前記無線通信装置が専有する無線制御リソースを保持する送信部と、
第１情報及び第２情報のうち少なくとも１つを有するデータを含む信号を受信する受信部と、
前記受信部が受信した前記データが第１情報を含む場合、前記受信区間を第１所定時間を経過する時まで延長する受信延長制御部と、を含み、
前記受信延長制御部が受信区間を第１所定時間を経過する時まで延長した後に前記受信部が受信した前記データが第１情報を含まない場合、前記受信延長制御部は受信区間の延長を停止する無線通信装置。
【請求項２】
前記受信部が受信した前記データが正常でない場合、前記受信延長制御部は、前記受信区間を前記第１所定時間を経過する時まで延長する
請求項１に記載の無線通信装置。
【請求項３】
前記受信延長制御部は、提供中のサービスが所定のサービスである場合、前記受信区間を前記第１所定時間を経過する時まで延長する、
請求項１または２に記載の無線通信装置。
【請求項４】
前記受信部が受信した前記データが前記第２情報を含む場合、第２所定時間で満了するタイマを起動するタイマ部をさらに備え、
前記送信部は、前記タイマの満了時に前記無線制御リソースを解放する、
請求項１から３のいずれか１つに記載の無線通信装置。
【請求項５】
前記受信部が受信した前記データが前記第２情報を含む場合、第２所定時間で満了するタイマを起動するタイマ部をさらに備え、
前記送信部は、前記タイマの満了時に前記無線制御リソースを解放し、
前記受信延長制御部は、前記タイマが次の受信区間までに満了し、かつ、提供中のサービスが所定のサービスである場合、前記受信区間を前記第１所定時間を経過する時まで延長する、
請求項１または２に記載の無線通信装置。
【請求項６】
前記受信部が受信した前記データが前記第２情報を含み、かつ、前記タイマが起動している場合、前記タイマ部は、起動している前記タイマを停止し、前記第２所定時間で満了する前記タイマを再起動する、
請求項４または５に記載の無線通信装置。
【発明の詳細な説明】
【技術分野】
【０００１】
本発明は、間欠受信を行う無線通信装置に関する。
【背景技術】
【０００２】
携帯電話等の携帯端末（移動局）に提供されるサービスには、オンライン通信アプリケーションがある。オンライン通信アプリケーションでは、携帯端末は、定期的に送受信を行うことがある。携帯端末は、定期的に送受信を行いながらも消費電力を抑えることが求められる。また、オンラインサービスでは送受信開始から送受信完了までの所要時間が長い場合、携帯端末のユーザはストレスを感じることがある。そのため、オンラインサービスでは送受信開始から送受信完了の所要時間を抑えることが求められる。【０００３】
３ＧＰＰ（3rd Generation Partnership Project）規格に準ずるＬＴＥ（Long Term Evolution）移動通信システムでは、ＳＣＨ（Shared CHannel）通信中にもＤＲＸ（Discontinuous Reception、間欠受信）制御が存在する。以降、ＤＲＸ制御は、ＳＣＨ−ＤＲＸ制御ともいう。ＬＴＥ移動通信システムおいて、基地局（ｅＮＢ； eNodeB; evolved Node B）は、ＳＣＨの無線リソースを、時間軸上で動的に移動局（ＵＥ； User Equipment）に割り当てる。また、無線リソースの分配については、上り下り共に、基地局が主導して管理する。ここで、上り方向は、移動局から基地局への方向であり、下り方向は、基地局から移動局への方向である。下り転送の際、基地局は下り転送データの発生を検出できるため、基地局は遅延なく直ちに転送データを移動局に転送できる。これに対して、上り転送の際、移動局側で上り転送データの発生を検出し、移動局から基地局に対して上り無線リソースを要求する。これにより、移動局は基地局から無線リソースを割り当てられる。この後、移動局が割り当てられた無線リソースを使用して実際に基地局に転送データを転送する。
【先行技術文献】
【特許文献】
【０００４】
【特許文献１】特開２００９−５３１９７３号公報
【特許文献２】特開２００９−１６５１３３号公報
【特許文献３】特開平１１−１７７５２４号公報
【特許文献４】特開２００２−１７１２１９号公報
【特許文献５】特開２００８−２４４５２６号公報
【発明の概要】
【発明が解決しようとする課題】
【０００５】
ＬＴＥ通信システムでは、移動局がデータを受信する受信区間（期間）と、移動局がデータを受信しないＤＲＸ（Discontinuous Reception）区間（期間）とがある。【０００６】
移動局は、上り無線リソースを維持するためにＳＲＳ（Sounding Reference Symbol）を基地局に送信する。基地局は、移動局からのＳＲＳに基づき、移動局にＴＡ  Ｃｏｍｍａｎｄ（Timing Advance Command）を送信する。ＴＡ  Ｃｏｍｍａｎｄは、上り同期を維持するための命令である。ＴＡ  Ｃｏｍｍａｎｄを受信した移動局は、受信区間の制御を行う。具体的には、ＴＡ  Ｃｏｍｍａｎｄを受信した移動局は、受信区間を延長する。受信区間の延長によって、移動局が受信状態となる時間が長くなるため、移動局の消費電力は大きくなる。また、ＴＡ  Ｃｏｍｍａｎｄを受信した移動局は、ＴＡ  Ｔｉｍｅｒ（Time Alignment Timer）を起動または再起動する。ＴＡ  Ｔｉｍｅｒが満了すると、移動局は、上り同期が外れたと判断される。【０００７】
図１は、ＬＴＥ通信システムにおける上り同期について説明する図である。基地局（ｅＮＢ）は、移動局（ＵＥ）との間で、下り同期とは別に上り同期外れを監視する。基地局は、移動局が定期的に送信するＳＲＳ（Sounding Reference Symbol）により、上り同期外れを管理する。基地局は、例えば、移動局からＳＲＳが、所定時間、送信されないと、当該移動局との間の上り同期が外れたと判定する。移動局は、基地局がＳＲＳを受けて送信するＴＡ  Ｃｏｍｍａｎｄにより、上り同期外れを監視する。具体的には、移動局は、受信区間中、定期的に、ＳＲＳを送信する。基地局は、ＳＲＳを受信すると、移動局にＴＡ  Ｃｏｍｍａｎｄを送信する。移動局は、ＴＡ  Ｃｏｍｍａｎｄ受信の度にＴＡ  Ｔｉｍｅｒを起動または再起動を行い、当該ＴＡ  Ｔｉｍｅｒが満了すると上り同期外れと判断する。上り同期が外れると、移動局は割り当てられているＳＲリソース（制御リソース）の解放を行う。なお、起動時のＴＡ  Ｔｉｍｅｒ値は、基地局より与えられる。ＴＡ  Ｔｉｍｅｒ値は、例えば、基地局２００からの報知情報により通知される。ＴＡ  Ｔｉｍｅｒ値は、ＴＡ  Ｔｉｍｅｒの起動から満了までの時間である。ＴＡ  Ｃｏｍｍａｎｄは、上り同期を維持するための命令（情報）である。移動局は、ＴＡ  Ｃｏｍｍａｎｄに基づいて、上り同期（制御リソース）を維持する。移動局は、ＴＡ  Ｃｏｍｍａｎｄ等を含むデータを受信すると、受信区間を延長する。【０００８】
また、ＳＣＨ−ＤＲＸ制御中の移動局は、上り同期の維持処理を行わない。ＳＣＨ−ＤＲＸ制御中の移動局とは、ＤＲＸ区間に入っている移動局である。即ち、ＳＣＨ−ＤＲＸ制御中の移動局は、基地局にＳＲＳを送信しない。よって、連続受信制御とは異なり、上り同期が外れる可能性がある。ＳＣＨ−ＤＲＸ制御中に、ＴＡ  Ｔｉｍｅｒが満了する可能性があるからである。上り同期が外れると、上りデータが発生した際、上りデータの送信に時間がかかることがある。【０００９】
本件開示の装置は、無線通信時の省電力化とデータ送信の遅延抑制をすることを目的とする。
【課題を解決するための手段】
【００１０】
開示の装置は、上記課題を解決するために、以下の手段を採用する。【００１１】
即ち、第１の態様は、
他の装置から信号を受信する受信区間と前記他の装置から信号を受信しない非受信区間とが交互に設定される無線通信装置であって、
前記他の装置への無線通信で利用する前記無線通信装置が専有する無線制御リソースを保持する送信部と、
第１情報及び第２情報のうち少なくとも１つを有するデータを含む信号を受信する受信部と、
前記受信部が受信した前記データが第１情報を含む場合、前記受信区間を第１所定時間を経過する時まで延長する受信延長制御部と、を含み、
前記受信延長制御部が受信区間を第１所定時間を経過する時まで延長した後に前記受信部が受信した前記データが第１情報を含まない場合、前記受信延長制御部は受信区間の延長を停止する無線通信装置とする。
【発明の効果】
【００１２】
開示の実施形態によれば、無線通信時の省電力化とデータ送信の遅延抑制をすることができる。
【図面の簡単な説明】
【００１３】
【図１】図１は、ＬＴＥ通信システムにおける上り同期について説明する図である。
【図２】図２は、ＭＡＣ  ＰＤＵの例を示す図である。
【図３】図３は、ＳＲを送信する方法を説明する図である。
【図４】図４は、ＲＡ  Ｐｒｏｃｅｄｕｒｅを介して供給する方法を説明する図である。
【図５】図５は、本実施形態の移動通信システムの構成例を示す図である。
【図６】図６は、移動局における受信区間およびＤＲＸ区間のタイムスケジュールの例を示す図である。
【図７】図７は、移動局の受信延長制御部の動作フローの例を示す図である。
【図８】図８は、受信区間が延長される例を示す図である。
【図９】図９は、受信区間が延長されない例を示す図である。
【図１０】図１０は、受信区間の延長が停止される例を示す図である。
【発明を実施するための形態】
【００１４】
以下、図面を参照して実施形態について説明する。実施形態の構成は例示であり、開示の実施形態の構成に限定されない。
【００１５】
本実施形態では、ＬＴＥ（Long Term Evolution）によって規定される方式を使用する移動通信システムを例として説明するが、本発明は、これに限定されるものではなく、他の方式を使用する通信システムにも適用可能である。
【００１６】
〔実施形態〕
（ＬＴＥ通信システム）
ＬＴＥ通信システムにおける、ＳＣＨ通信中のＤＲＸ制御、下りデータ受信、上り無線リソース要求について説明する。
【００１７】
《ＳＣＨ通信中のＤＲＸ制御》
ＬＴＥ通信システムでは、移動局がデータを受信する受信区間（期間）と、移動局がデータを受信しないＤＲＸ（Discontinuous Reception）区間（期間）とがある。受信区間では、移動局の受信制御部がオン状態であり、移動局は基地局からデータを受信しうる。ＤＲＸ区間では、移動局の受信制御部がオフ状態であり、移動局は基地局からデータを受信しない。ＤＲＸ区間は、非受信区間である。ＬＴＥ通信システムにおいては、パケット送受信サービス起動中でも送受信するデータが無い場合、ＤＲＸ区間として送受信制御を行わなくてもよい。これにより、移動局は、パケット送受信中でも連続通話時間や連続パケット送受信時間を延長できる。また、連続受信を実現するために、移動局が基地局から受信区間で下りデータを受信した場合、受信区間が延長されることが３ＧＰＰ規格で定められている。
【００１８】
《下りデータ受信》
移動局における下りデータの受信では、移動局は、基地局から、ＰＤＣＣＨ（Physical Downlink Control CHannel）のデータとＰＤＳＣＨ（Physical Downlink Shared CHannel）のデータとの両方を受信する。ＰＤＣＣＨは、移動局と基地局との間で制御情報を送受信する制御用物理チャネルである。ＰＤＳＣＨは、移動局と基地局との間でユーザデータを送受信するデータ用物理チャネルである。ＰＤＣＣＨのデータにはＰＤＳＣＨのデータに含まれる各移動局宛の下りデータの有無についての制御情報が入っている。ＰＤＳＣＨのデータに含まれる各移動局宛の下りデータの有無は、ＰＤＣＣＨのデータに含まれる各移動局の識別子の有無で判断される。ＰＤＳＣＨのデータには実際の下りデータが入っている。下りデータは、例えば、ＭＡＣ  ＰＤＵ（Protocol Data Unit）に含まれて、送信される。ＭＡＣ  ＰＤＵは、ＭＡＣ  ｈｅａｄｅｒ、ＭＡＣ  ＳＤＵ（Service Data Unit）及びＴＡ  Ｃｏｍｍａｎｄを含みうる。ＭＡＣ  ＰＤＵがＭＡＣ  ＳＤＵを含んでいるか否かは、ＭＡＣ  ＰＤＵのヘッダ解析を行うことにより、判定されうる。ＭＡＣ  ＳＤＵには、例えば、電子メールやＶｏＩＰ等のサービスデータが含まれる。ＰＤＣＣＨのデータ、ＰＤＳＣＨのデータには、リアルタイムサービスであるか否かの情報が含まれうる。
【００１９】
図２は、ＭＡＣ  ＰＤＵの例を示す図である。図２の例では、上から、ＴＡ  Ｃｏｍｍａｎｄを含むＭＡＣ  ＰＤＵ、ＭＡＣ  ＳＤＵを含むＭＡＣ  ＰＤＵ、ＴＡ  ＣｏｍｍａｎｄおよびＭＡＣ  ＳＤＵを含むＭＡＣ  ＰＤＵが示される。ＭＡＣ  ＰＤＵは、ＴＡ  Ｃｏｍｍａｎｄを含む場合、ＴＡ  Ｃｏｍｍａｎｄに対応するヘッダを含む。同様に、ＭＡＣ  ＰＤＵは、ＭＡＣ  ＳＤＵを含む場合、ＭＡＣ  ＳＤＵに対応するヘッダを含む。ＭＡＣ  ＰＤＵのＭＡＣ  ｈｅａｄｅｒが解析されることで、ヘッダ種別により、ＭＡＣ  ＰＤＵがＭＡＣ  ＳＤＵを含むか否かが判定されうる。
【００２０】
通常のＤＲＸ制御では、移動局は、ＰＤＣＣＨのデータに自身の移動局宛の下りデータがあるという制御情報がある場合に、受信区間を延長する。言い換えると、通常のＤＲＸ制御では、移動局は、ＰＤＣＣＨのデータの受信に失敗した場合は受信区間を延長しないが、ＰＤＣＣＨのデータの受信に成功した場合はＰＤＳＣＨのデータの受信に成功・失敗（CRC-OK/NG）に関わらず受信区間を延長する。
【００２１】
《上り無線リソース要求》
ＬＴＥ移動通信システムにおける、上り無線リソース要求について説明する。上り無線リソースを要求する方法として、上り無線リソース要求にＰＵＣＣＨ（Physical Uplink Control CHannel）の専用リソースを用いてＳＲ（Scheduling Request）を送信する方法とＲＡ  Ｐｒｏｃｅｄｕｒｅ（Random Access Procedure）を介して要求する方法との２つの方法が存在する。
【００２２】
図３は、ＳＲを送信する方法を説明する図である。前者のＳＲを送信する方法では、上りデータを有する移動局は、基地局に上り無線リソースを求めるＳＲを送信する。上り無線リソースは、上りデータを送信するためのリソースである。ＳＲリソースとして移動局に既に割り当てられている制御リソース（無線制御リソース）が用いられる。上り無線リソースは、移動局が基地局への無線通信で利用する当該移動局が専有するリソースである。基地局と移動局との間で上り同期が取れているとは、当該移動局に割り当てられている制御リソースがあることを意味する。制御リソースは、移動局毎に割り当てられる。移動局は、自局に割り当てられている制御リソースを利用してＳＲを基地局に送信する。基地局は、移動局に割り当てた制御リソースを利用して送信されるＳＲを受信すると、どの制御リソースが利用されたかにより、ＳＲを送信した移動局を特定できる。基地局（ｅＮＢ）は、ＳＲ受信後、即時、移動局（ＵＥ）を判別でき、上り無線リソースの要求のあった移動局に、上り無線リソースを割り当てることができる。上り無線リソースを割り当てられた移動局は、当該上り無線リソースを利用して、上りデータを送信する。ＳＲ（Scheduling Request）は、移動局が基地局に送信すべき上りデータを有する場合に、基地局に対して、上り無線リソースの割り当てを要求するために送信される。
【００２３】
図４は、ＲＡ  Ｐｒｏｃｅｄｕｒｅを介して要求する方法を説明する図である。後者のＲＡ  Ｐｒｏｃｅｄｕｒｅを介して要求する方法では、複数の移動局による共有のリソースである共有リソースを利用するＲＡ  Ｐｒｅａｍｂｌｅ送信から開始する。上り無線リソースを要求する移動局は、基地局に、共有リソースを利用してＲＡ  Ｐｒｅａｍｂｌｅを送信する。複数の移動局が同時に要求を出す場合もあるため、基地局は１度移動局に対して識別確認処理を行う。基地局は、移動局に対し、識別ＩＤ送信用リソース割り当て、識別ＩＤ送信用リソースの情報（識別ＩＤ送信用リソースの割り当て情報）を移動局に送信する。移動局は、割り当てられた識別ＩＤ送信用リソースを利用して、識別ＩＤを基地局に送信する。この１往復の確認分だけ、ＳＲを送信する方法より上り無線リソース割り当てが遅れる。基地局は、その後、上り無線リソースを割り当て、移動局に上り無線リソースの情報（上り無線リソースの割り当て情報）を送信する。移動局は、この上り無線リソースを利用して、上りデータを送信する。また、移動局間で上り無線リソースの要求が衝突した場合、抽選に外れた移動局は、識別確認処理後、再度ＲＡ  Ｐｒｅａｍｂｌｅ送信からやり直すため、さらに、数１０〜数１００ｍｓの遅延が発生する。ＲＡ  Ｐｒｏｃｅｄｕｒｅを介して要求する方法は、ＳＲを送信する方法と比べて、上りデータを送信するのに、時間がかかる。よって、上り無線リソース要求は、ＳＲを送信する方法によって行われることが望ましい。
【００２４】
（構成例）
図５は、本実施形態の移動通信システムの構成例を示す図である。本実施形態の移動通信システム１０は、基地局２００および移動局３００を含む。基地局２００と移動局３００とは、互いに無線通信を行う。図５の移動通信システム１０では、１つの基地局２００と１つの移動局３００を含むとしているが、複数の基地局及び複数の移動局を含むシステムであってもよい。
【００２５】
基地局２００は、受信制御部２１０、送信制御部２２０、ＴＡ制御部２３０、データ解析部２４０、ＳＣＨ−ＤＲＸ制御部２５０を含む。基地局２００は、移動局３００と無線通信を行う。基地局２００は、上位の基地局管理装置等を介して、ネットワークに接続される。
【００２６】
受信制御部２１０は、移動局３００からの無線信号を受信する。受信制御部２１０は、受信した無線信号を復調し、受信データとする。受信制御部２１０は、受信データをデータ解析部２４０に転送する。
【００２７】
送信制御部２２０は、移動局３００への無線信号を送信する。送信制御部２２０は、送信データを変調し、無線信号とする。
【００２８】
ＴＡ制御部２３０は、移動局３００からＳＲＳ（Sounding Reference Symbol）を受信すると、これに対する応答としてＴＡ  Ｃｏｍｍａｎｄを生成する。
【００２９】
データ解析部２４０は、受信制御部２１０で受信した移動局３００からの無線信号のデータ解析を行う。データ解析部２４０は、移動局３００からの無線信号からＳＲＳを抽出し、ＴＡ制御部２３０に転送する。
【００３０】
ＳＣＨ−ＤＲＸ（Sheared Channel − Discontinuous Reception）制御部２５０は、受信区間、ＤＲＸ区間を制御する。
【００３１】
基地局２００の各処理部の機能は、コンピュータのプロセッサ、記憶装置等を用いて、実現されうる。プロセッサは、例えば、ＣＰＵ（Central Processing Unit）やＤＳＰ（Data Signal Processor）である。記憶装置は、主記憶装置、二次記憶装置である。主記憶装置は、例えば、ＲＡＭ（Random Access Memory）やＲＯＭ（Read Only Memory）である。二次記憶装置は、例えば、ＥＰＲＯＭ（Erasable Programmable ROM）、ハードディスクドライブ（ＨＤＤ、Hard Disk Drive）である。また、二次記憶装置は、リムーバブルメディア、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。各処理部の機能は、プロセッサが二次記憶装置に記憶されているプログラムを主記憶装置にロードして実行することによって実現されうる。記憶装置には、例えば、移動局に割り当てた上り無線リソース、制御リソース等の情報が格納されうる。
【００３２】
移動局３００は、受信制御部３１０、送信制御部３２０、ＴＡ制御部３３０、データ解析部３４０、ＳＣＨ−ＤＲＸ制御部３５０、受信延長制御部３６０を含む。移動局３００は、スマートフォン、携帯電話、カーナビゲーション装置のような専用または汎用のコンピュータ、あるいは、コンピュータを搭載した電子機器を使用して実現可能である。
【００３３】
受信制御部３１０は、基地局２００からの無線信号を受信する。受信制御部３１０は、受信した無線信号を復調し、受信データとする。受信制御部３１０は、受信データをデータ解析部３４０に転送する。
【００３４】
送信制御部３２０は、基地局２００への無線信号を送信する。送信制御部３２０は、送信データを変調し、無線信号とする。送信制御部３２０は、上り方向の無線リソースの保持又は開放を管理する。
【００３５】
ＴＡ制御部３３０は、ＴＡ  Ｃｏｍｍａｎｄを受信すると、ＴＡ  Ｔｉｍｅｒを起動させる。ＴＡ  Ｔｉｍｅｒ値は、あらかじめ、基地局２００より与えられる。ＴＡ  Ｔｉｍｅｒ値は、ＴＡ  Ｔｉｍｅｒの起動から満了までの時間である。ＴＡ制御部３３０は、受信区間（延長されている場合も含む）中、所定時間毎にＳＲＳを生成し、送信制御部３２０を介して、基地局に送信する。ＴＡ  Ｔｉｍｅｒ値として、移動局３００がＳＲＳを送信してからＴＡ  Ｃｏｍｍａｎｄを受信するのに十分な値（時間）が設定される。
【００３６】
データ解析部３４０は、受信制御部３１０で受信した基地局２００からの無線信号のデータ解析を行う。データ解析部２４０は、移動局３００からの無線信号から、ＴＡ  Ｃｏｍｍａｎｄ、ＭＡＣ  ＳＤＵを抽出する。データ解析部３４０は、ＴＡ  ＣｏｍｍａｎｄをＴＡ制御部に転送する。データ解析部３４０は、自身の移動局３００宛の下りデータを含むＰＤＳＣＨのデータを処理する。ＰＤＳＣＨのデータが、自身の移動局３００宛の下りデータを含むか否かは、ＰＤＣＣＨのデータに含まれる自身の移動局３００の識別子の有無で判断される。
【００３７】
ＳＣＨ−ＤＲＸ制御部３５０は、ＤＲＸ区間を制御する。ＳＣＨ−ＤＲＸ制御部３５０は、ＤＲＸ区間が開始するときに、受信制御部３１０に対し、基地局２００からの無線信号の受信の停止を指示する。無線信号の受信を停止することで、移動局は自身の消費電力を減少させることができる。ＳＣＨ−ＤＲＸ制御部３５０は、ＤＲＸ区間が終了するときに、受信制御部３１０に対し、基地局２００からの無線信号の受信の再開を指示する。
【００３８】
受信延長制御部３６０は、受信区間を延長するか否かを制御する。受信延長制御部３６０は、受信データ、提供中のサービス等に応じて、受信区間の延長を制御する。受信延長制御部３１０は、移動局３００が受信区間に入ってから受信区間が終了するまでを制御する。受信区間が終了した後、移動局３００はＤＲＸ区間に入る。
【００３９】
移動局３００の各処理部の機能は、コンピュータのプロセッサ、記憶装置等を用いて、実現されうる。プロセッサは、例えば、ＣＰＵ（Central Processing Unit）やＤＳＰ（Data Signal Processor）である。記憶装置は、主記憶装置、二次記憶装置である。主記憶装置は、例えば、ＲＡＭ（Random Access Memory）やＲＯＭ（Read Only Memory）である。二次記憶装置は、例えば、ＥＰＲＯＭ（Erasable Programmable ROM）、ハードディスクドライブ（ＨＤＤ、Hard Disk Drive）である。また、二次記憶装置は、リムーバブルメディア、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。各処理部の機能は、プロセッサが二次記憶装置に記憶されているプログラムを主記憶装置にロードして実行することによって実現されうる。記憶装置には、例えば、ＴＡ  Ｔｉｍｅｒ値、受信区間の延長時間、ユーザデータ、移動局で提供されているサービス等の情報が格納されうる。
【００４０】
（動作例）
基地局２００は、移動局３００からの当該移動局３００に割り当てられている制御リソースを利用してＳＲ（Scheduling Request）を受信すると、その時点での上り無線リソースの空き状況に応じて、当該移動局３００に割り当てる上り無線リソースを決定する。即ち、基地局２００は、その時点で空いている上り無線リソースを、移動局３００に割り当てる。基地局２００は、移動局３００に割り当てた上り無線リソースの情報を移動局３００に送信する。移動局３００は、基地局２００から割り当てられた上り無線リソースを使用して、上りデータを送信する。制御リソースの情報、及び、上り無線リソースの情報は、例えば、移動局３００の送信制御部３２０で管理される。
【００４１】
また、移動局３００は、割り当てられている制御リソースを維持するために、受信区間において、基地局２００に対して、所定時間毎に、ＳＲＳを含むデータを送信する。基地局２００の受信制御部２１０は、移動局３００からＳＲＳを含むデータを受信すると、データ解析部２４０に転送する。データ解析部２４０は、受信したデータからＳＲＳを抽出すると、ＳＲＳをＴＡ制御部２３０に送信する。ＴＡ制御部２３０は、ＳＲＳを受信すると、移動局３００に対するＴＡ  Ｃｏｍｍａｎｄを生成し、送信制御部２２０に送信する。送信制御部２２０は、移動局３００に対して、ＴＡ  Ｃｏｍｍａｎｄを含むデータを送信する。
【００４２】
移動局３００の受信制御部３１０は、基地局２００からＴＡ  Ｃｏｍｍａｎｄを含むデータを受信すると、データ解析部３４０に転送する。データ解析部３４０は、受信したデータからＴＡ  Ｃｏｍｍａｎｄを抽出すると、ＴＡ  ＣｏｍｍａｎｄをＴＡ制御部２３０に送信する。ＴＡ制御部２３０は、ＴＡ  Ｃｏｍｍａｎｄを受信すると、ＴＡ  Ｔｉｍｅｒを起動させる。ＴＡ  Ｔｉｍｅｒが起動中の場合、ＴＡ制御部２３０は、ＴＡ  Ｃｏｍｍａｎｄを受信すると、起動中のＴＡ  Ｔｉｍｅｒを停止し、新たにＴＡ  Ｔｉｍｅｒを起動（再起動）させる。ＴＡ  Ｔｉｍｅｒは、起動時からＴＡ  Ｔｉｍｅｒ値経過時に、満了する。ＴＡ  Ｔｉｍｅｒが満了すると、基地局２００との間の上り同期が外れる。即ち、移動局３００に割り当てられている制御リソースが開放される。
【００４３】
図６は、移動局で設定される受信区間およびＤＲＸ区間のタイムスケジュールの例を示す図である。図６のタイムスケジュールは、移動局の受信状態のタイムスケジュールである。図６の例では、時間軸上で、受信区間とＤＲＸ区間とが交互に現れる。受信区間およびＤＲＸ区間の長さは、あらかじめ、設定されている。移動局３００の受信延長制御部３６０は、受信区間を延長することがある。受信延長制御部３６０及びＳＣＨ−ＤＲＸ制御部３５０は、仮に、受信区間が延長された場合であっても、この受信区間の次のＤＲＸ区間が終了する時刻を変更しない。ＤＲＸ区間は、受信区間に比べて、移動局３００における消費電力が小さい区間である。
【００４４】
図７は、移動局の受信延長制御部の動作フローの例を示す図である。移動局３００の受信延長制御部３６０は、受信区間の延長を制御する。受信延長制御部３６０は、移動局３００の受信区間で動作する。ここでは、移動局３００は、既に、基地局２００から上り方向の制御リソースを、基地局２００から割り当てられているとする。受信延長制御部３６０は、移動局３００が受信区間に入ることにより、動作する。また、移動局３００の送信制御部３２０は、移動局３００が受信区間に入ると、基地局２００に対して、上り無線リソースを維持するためにＳＲＳを送信する。
【００４５】
図７の受信延長制御部の動作フローは、移動局３００が受信区間に入ることを契機として、開始される。
【００４６】
ステップＳ１０１では、受信延長制御部３６０は、データ受信を成功したか否かを判定する。受信延長制御部３６０は、ＰＤＳＣＨ（Physical Downlink Sheared CHannel）で送信されるデータ（下りデータ）の受信が成功したか否かを判定する。
【００４７】
移動局３００が、基地局２００からＰＤＳＣＨで送信されるデータを受信していない場合、または、ＰＤＳＣＨのデータを正しく受信できない場合、受信延長制御部３６０は、データ受信を成功していないと判定する（Ｓ１０１；ＮＯ）。このとき、処理は、ステップＳ１１１に進む。一方、基地局２００からＰＤＳＣＨで送信されるデータを受信した場合、受信延長制御部３６０は、データ受信を成功したと判定する（Ｓ１０１；ＹＥＳ）。このとき、処理は、ステップＳ１０２に進む。
【００４８】
ステップＳ１０２では、受信延長制御部３６０は、「ＣＲＣ（Cyclic Redundancy Check）  ＯＫ／ＮＧ」を判定する。即ち、受信延長制御部３６０は、基地局２００からＰＤＳＣＨで送信されるデータ（ＭＡＣ  ＰＤＵ）が、正常に受信されたか否かを判定する。ＭＡＣ  ＰＤＵが受信されたとしても、データに誤り等があり正常に受信していない場合、その後の処理ができないため、受信延長制御部３６０はＭＡＣ  ＰＤＵが正常に受信されたか否かを確認する。ＭＡＣ  ＰＤＵが正常に受信された場合（Ｓ１０２；ＯＫ）、処理はステップＳ１０４に進む。ＰＤＳＣＨで送信されるデータは、データ解析部３４０を介して、受信延長制御部３６０に転送される。ＭＡＣ  ＰＤＵを正常に受信していない場合（Ｓ１０２；ＮＧ）、処理はステップＳ１０５に進む。ステップＳ１０２の判定は、データ解析部３４０が行ってもよい。
【００４９】
ステップＳ１０３では、受信延長制御部３６０は、正常に受信されたＭＡＣ  ＰＤＵにＭＡＣ  ＳＤＵが含まれるか否かを判定する。ＭＡＣ  ＰＤＵのＭＡＣ  ｈｅａｄｅｒが解析されることで、ヘッダ種別により、ＭＡＣ  ＰＤＵがＭＡＣ  ＳＤＵを含むか否かが判定されうる（図２参照）。例えば、ＭＡＣ  ＰＤＵのＭＡＣ  ｈｅａｄｅｒにＭＡＣ  ＳＤＵ  ｓｕｂｈｅａｄｅｒが含まれるか否かにより、ＭＡＣ  ＰＤＵがＭＡＣ  ＳＤＵを含むか否かが判定される。ＭＡＣ  ＰＤＵがＭＡＣ  ＳＤＵを含む場合（Ｓ１０３；ＹＥＳ）、処理はステップＳ１０５に進む。ＭＡＣ  ＳＤＵには、電子メールやＶｏＩＰ等のサービスデータが含まれる。電子メールやＶｏＩＰ等のサービスデータは、連続して送信されることが多い。よって、ＭＡＣ  ＰＤＵにＭＡＣ  ＳＤＵが含まれる場合、引き続きＭＡＣ  ＳＤＵが基地局２００から送信される可能性が高いため、受信区間が延長される。一方、ＭＡＣ  ＰＤＵがＭＡＣ  ＳＤＵを含まない場合（Ｓ１０３；ＮＯ）、処理はステップＳ１０４に進む。ＭＡＣ  ＰＤＵにＭＡＣ  ＳＤＵが含まれない場合、引き続きＭＡＣ  ＳＤＵが基地局２００から送信される可能性が低いため、受信区間が延長されなくてもよい。また、ＭＡＣ  ＰＤＵにＭＡＣ  ＳＤＵが含まれない場合、ＭＡＣ  ＰＤＵにＴＡ  Ｃｏｍｍａｎｄが含まれることがある。ＴＡ  Ｃｏｍｍａｎｄは上り同期の維持のための命令であるため、ＴＡ  Ｃｏｍｍａｎｄを受信したことによって、受信区間が延長されなくてもよい。ステップＳ１０３の判定は、データ解析部３４０が行ってもよい。
【００５０】
ステップＳ１０４では、受信延長制御部３６０は、受信区間の延長の停止を要求する。ＭＡＣ  ＰＤＵにＭＡＣ  ＳＤＵが含まれない場合、受信区間が延長されなくてもよいからである。受信延長制御部３６０は、受信区間が既に延長されており、元の受信区間を越えて延長の時間に入っている場合、受信区間の延長を取り消すことを要求する。また、受信延長制御部３６０は、受信区間が既に延長されているが、未だ元の受信区間内である場合、受信区間の延長を取り消し、受信区間を元の受信区間とすることを要求する。受信延長制御部３６０は、受信区間が延長されていない場合、延長停止の対象がないため、なにもしない。ステップＳ１０４の処理の後、処理はＳ１０１に戻る。
【００５１】
ステップＳ１０５では、受信延長制御部３６０は、受信区間の延長を要求する。受信延長制御部３６０は、現時点から所定時間経過時まで、受信区間を延長することを要求する。ステップＳ１０５の処理の後、処理はＳ１０１に戻る。受信区間の延長は、基地局２００からデータが送信される可能性が高い場合に、行われる。例えば、ステップＳ１０２で「ＣＲＣ  ＮＧ」である場合、基地局２００からデータが再送される可能性が高い。また、ＭＡＣ  ＰＤＵにＭＡＣ  ＳＤＵが含まれる場合（Ｓ１０３；ＹＥＳ）、基地局２００から引き続きＭＡＣ  ＳＤＵを含むＭＡＣ  ＰＤＵが送信される可能性が高い。さらに、移動局３００がリアルタイムサービスを提供している場合（Ｓ１１３；ＹＥＳ）、基地局２００から継続してデータが送信される可能性が高い。延長する時間は、現時点から所定時間経過時までとする代わりに、元の受信区間終了後から所定時間としてもよい。
【００５２】
ステップＳ１０４、又は、ステップＳ１０５での要求は、ステップＳ１１１での処理で反映される。即ち、受信延長制御部３６０は、ステップＳ１０４、又は、ステップＳ１０５での要求に基づいて、受信区間の延長停止、又は、受信区間の延長を行う。
【００５３】
ステップＳ１１１では、受信延長制御部３６０は、受信区間が満了したか否かを確認する。受信延長制御部３６０は、受信区間が満了する時刻と、現在の時刻とを比較することにより、受信区間が満了したか否かを判定する。ステップＳ１０５で受信区間の延長が要求されている場合、受信延長制御部３６０は、要求されている延長された受信区間を新たな受信区間として、受信区間が満了したか否かを判定する。
【００５４】
また、ステップＳ１０４で受信区間の延長の停止が要求されている場合、受信延長制御部３６０は、受信区間が満了したと判定する。ただし、元の受信区間（延長する前の受信区間）が未だ満了していない場合、受信延長制御部３６０は、当該元の受信区間が満了するまで、受信区間が満了したとしない。
【００５５】
受信区間が満了したと判定されない場合（Ｓ１１１；ＮＯ）、処理はステップＳ１０１に戻る。また、受信区間が満了したと判定された場合（Ｓ１１１；ＹＥＳ）、処理はステップＳ１１２に進む。
【００５６】
ステップＳ１１２では、受信延長制御部３６０は、次の受信区間までにＴＡ  Ｔｉｍｅｒが満了するか否かを判定する。ＴＡ  Ｔｉｍｅｒは、基地局２００からＴＡ  Ｃｏｍｍａｎｄを受信した時に、ＴＡ制御部３３０によって起動される。ＴＡ  Ｔｉｍｅｒは、その起動時から、ＴＡ  Ｔｉｍｅｒ値経過時に満了する。受信延長制御部３６０は、現時点から次の受信区間までの時間（時間Ａ）と、ＴＡ  Ｔｉｍｅｒの残り時間（時間Ｂ）と、を比較し、次の受信区間までにＴＡ  Ｔｉｍｅｒが満了するか否かを判定する。時間Ａが時間Ｂよりも短い場合、受信延長制御部３６０は、次の受信区間までにＴＡ  Ｔｉｍｅｒが満了すると判定する。時間Ａが時間Ｂよりも長い場合、受信延長制御部３６０は、次の受信区間までにＴＡ  Ｔｉｍｅｒが満了しないと判定する。次の受信区間までにＴＡ  Ｔｉｍｅｒが満了する場合（Ｓ１１２；ＹＥＳ）、処理はステップＳ１１３に進む。
【００５７】
一方、次の受信区間までにＴＡ  Ｔｉｍｅｒが満了しない場合（Ｓ１１２；ＮＯ）、受信延長制御部３６０による処理を終了し、移動局３００はＤＲＸ区間に入る。このとき、次の受信区間までＴＡ  Ｔｉｍｅｒが満了しないため、ＤＲＸ区間において、上り同期は外れない。よって、ＤＲＸ区間において、上りデータが発生したとしても、上記のＳＲを送信する方法で、基地局２００に上り無線リソースを要求できる。即ち、ＤＲＸ区間において、上り送信データが発生したとしても、遅滞なく基地局２００に上り送信データを送信できる。
【００５８】
ステップＳ１１３では、受信延長制御部３６０は、移動局３００で提供されているサービスがリアルタイムサービスであるか否かを判定する。移動局３００で提供されているサービスは、移動局３００及び基地局２００で管理される。リアルタイムサービスには、例えば、ＶｏＩＰ（Voice over Internet Protocol）サービス等が含まれる。非リアルタイムサービスには、例えば、電子メールサービス等が含まれる。リアルタイムサービスは、遅延すると質が低下しやすいサービスである。移動局３００および基地局２００は、移動局３００で提供されているサービスを認識している。リアルタイムサービスか否かは、例えば、基地局２００から通知されるオープン中のＲＢ（Resource Block）の種類により判定される。また、リアルタイムサービスか否かは、サービスごとに割り振られているＱｏＳ（Quality of Service）によって判定されてもよい。移動局３００で提供されているサービスがリアルタイムサービスである場合（Ｓ１１３；ＹＥＳ）、処理がステップＳ１０５に進む。リアルタイムサービスであれば、継続してデータの送受信をするため、受信延長制御部３６０は受信区間延長を要求する（Ｓ１０５）。一方、移動局３００で提供されているサービスがリアルタイムサービスでない場合（Ｓ１１３；ＮＯ）、受信延長制御部３６０による処理を終了し、移動局３００はＤＲＸ区間に入る。移動局３００がＤＲＸ区間に入ると、ＳＣＨ−ＤＲＳ制御部３５０は、受信制御部３１０をオフ状態にする。また、ＤＲＸ区間が満了すると、ＳＣＨ−ＤＲＳ制御部３５０は、受信制御部３１０をオン状態にする。移動局３００は、ＤＲＸ区間満了後、受信区間に入る。
【００５９】
ここで、ステップＳ１１３の処理をなくし、次の受信区間までにＴＡ  Ｔｉｍｅｒが満了する場合（Ｓ１１２；ＹＥＳ）、処理はステップＳ１０５に進むとしてもよい。このとき、ＤＲＸ区間でＴＡ  Ｔｉｍｅｒが満了することがなくなる。即ち、ＤＲＸ区間で、上り同期（制御リソース）が維持される。
【００６０】
図８は、受信区間が延長される例を示す図である。図８は、移動局３００（ＵＥ）と基地局２００（ｅＮＢ）との間のシーケンスの例を示す。受信区間に入っている移動局３００が、ＳＲＳを基地局２００に送信する。基地局２００は、ＳＲＳに対する応答として、ＴＡ  Ｃｏｍｍａｎｄを移動局３００に送信する。このとき、基地局２００が移動局３００への下りデータを有しているときは、基地局２００は、ＴＡ  Ｃｏｍｍａｎｄと共に、ＭＡＣ  ＳＤＵの中に下りデータを含めて、ＭＡＣ  ＰＤＵとして、移動局３００に送信する。移動局３００は、受信したＭＡＣ  ＰＤＵの中に、ＭＡＣ  ＳＤＵが含まれていることを確認すると、受信区間の延長を要求し、受信区間が所定時間、延長される。また、基地局２００が、さらに、下りデータを有しているときは、基地局２００は、ＭＡＣ  ＳＤＵに下りデータを含めて、ＭＡＣ  ＰＤＵとして、移動局３００に送信する。移動局３００は、受信したＭＡＣ  ＰＤＵの中に、ＭＡＣ  ＳＤＵが含まれていることを確認すると、受信区間の延長を要求し、受信区間が所定時間、延長される。移動局３００によれば、受信したＭＡＣ  ＰＤＵにＭＡＣ  ＳＤＵが含まれている場合、受信区間が、所定時間、延長される。
【００６１】
図９は、受信区間が延長されない例を示す図である。図９は、移動局３００（ＵＥ）と基地局２００（ｅＮＢ）との間のシーケンスの例を示す。受信区間に入っている移動局３００が、ＳＲＳを基地局２００に送信する。基地局２００は、ＳＲＳに対する応答として、ＴＡ  Ｃｏｍｍａｎｄを移動局３００に送信する。基地局２００は、ＴＡ  Ｃｏｍｍａｎｄを含めたＭＡＣ  ＰＤＵを、移動局３００に送信する。このとき、基地局２００が移動局３００への下りデータを有していないときは、ＭＡＣ  ＰＤＵにＭＡＣ  ＳＤＵが含まれない。図９のように、移動局３００が、元の受信区間が満了する前に、ＭＡＣ  ＳＤＵが含まれないＭＡＣ  ＰＤＵを受信した場合、元の受信区間が満了するまで受信区間が継続される。即ち、移動局３００は、受信したＭＡＣ  ＰＤＵの中に、ＭＡＣ  ＳＤＵが含まれていないと、受信区間を延長しない。
【００６２】
図１０は、受信区間の延長が停止される例を示す図である。図１０は、移動局３００（ＵＥ）と基地局２００（ｅＮＢ）との間のシーケンスの例を示す。受信区間に入っている移動局３００が、ＳＲＳを基地局２００に送信する。基地局２００は、ＳＲＳに対する応答として、ＴＡ  Ｃｏｍｍａｎｄを移動局に送信する。このとき、基地局２００が移動局３００への下りデータを有しているときは、基地局２００は、ＴＡ  Ｃｏｍｍａｎｄと共に、ＭＡＣ  ＳＤＵの中に下りデータを含めて、ＭＡＣ  ＰＤＵとして、移動局３００に送信する。移動局３００は、受信したＭＡＣ  ＰＤＵの中に、ＭＡＣ  ＳＤＵが含まれていることを確認すると、受信区間の延長を要求し、受信区間が所定時間、延長される。また、移動局２００が、さらに、ＳＲＳを基地局２００に送信する。基地局２００は、ＳＲＳに対する応答として、ＴＡ  Ｃｏｍｍａｎｄを移動局３００に送信する。基地局２００は、ＴＡ  Ｃｏｍｍａｎｄを含めたＭＡＣ  ＰＤＵを、移動局３００に送信する。このとき、基地局２００が移動局３００への下りデータを有していないときは、ＭＡＣ  ＰＤＵにＭＡＣ  ＳＤＵが含まれない。図１０のように、移動局３００が、元の受信区間が満了して受信区間が延長されているときに受信したＭＡＣ  ＰＤＵの中に、ＭＡＣ  ＳＤＵが含まれていないことを確認すると、受信区間の延長の停止を要求し、受信区間の延長が停止される。移動局３００は、ＤＲＸ区間に入る。ただし、移動局３００は、提供中のサービスがリアルタイムサービスである場合、受信区間の延長を要求し、受信区間が延長される。
【００６３】
（実施形態の作用効果）
移動局３００の受信延長制御部３６０は、受信したＭＡＣ  ＰＤＵにＭＡＣ  ＳＤＵが含まれない場合、受信区間の延長を停止する。また、受信延長制御部３６０は、受信したＭＡＣ  ＰＤＵにＭＡＣ  ＳＤＵが含まれる場合、受信区間の延長をする。受信延長制御部３６０は、ＭＡＣ  ＰＤＵを正常に受信できなかった場合、受信区間の延長をする。さらに、受信延長制御部３６０は、移動局３００で提供中のサービスがリアルタイムサービスである場合、受信区間の延長をする。受信延長制御部３６０は、ＤＲＸ区間でＴＡ  Ｔｉｍｅｒが満了する場合、移動局３００で提供中のサービスがリアルタイムサービスであれば、受信区間の延長をする。
【００６４】
移動局３００によれば、ＤＲＸ区間に入っても上り同期が外れにくくなり、かつ、ＭＡＣ  ＰＤＵにＭＡＣ  ＳＤＵが含まれない場合に、受信区間延長の停止を要求することで、移動局３００の省電力化が図れる。さらに、移動局３００で上りデータが発生した場合、移動局３００は、維持されている制御リソースを使用して、迅速に上りデータを基地局２００に送信することができる。
【００６５】
また、ＤＲＸ区間でＴＡ  Ｔｉｍｅｒが満了するのは、提供中のサービスがリアルタイムサービスでない場合である。よって、移動局３００において、ＤＲＸ区間でＴＡ  Ｔｉｍｅｒが満了することにより、上り同期が外れたとしても、サービスの質の低下がしにくい。移動局３００で提供中のサービスがリアルタイムサービスでない場合、上りデータが発生する可能性が低いからである。
【符号の説明】
【００６６】
１０            移動通信システム
２００            基地局
２１０              受信制御部
２２０              送信制御部
２３０              ＴＡ制御部
２４０              データ解析部
２５０              ＳＣＨ−ＤＲＸ制御部
３００            移動局
３１０              受信制御部
３２０              送信制御部
３３０              ＴＡ制御部
３４０              データ解析部
３５０              ＳＣＨ−ＤＲＸ制御部
３６０              受信延長制御部
【図１】
2012081093.tif 000003
【図２】
2012081093.tif 000004
【図３】
2012081093.tif 000005
【図４】
2012081093.tif 000006
【図５】
2012081093.tif 000007
【図６】
2012081093.tif 000008
【図７】
2012081093.tif 000009
【図８】
2012081093.tif 000010
【図９】
2012081093.tif 000011
【図１０】
2012081093.tif 000012
【国際調査報告】
2012081093.tif 000013
2012081093.tif 000014
2012081093.tif 000015
2012081093.tif 000016